(57)【要約】【課題】  クッション性を付与して、容器の持ち運びの際の振動を吸収できるようにし、区分けした食品が偏って変形してしまう事態を防止して食品の外観形状が崩れないようにし、食品の保持性の向上を図る。【解決手段】  容器内に収容された食品を区分けする可撓性樹脂製の扁平状のバランＢにおいて、中空状の気体の密封室５からなるクッション部２を備えた仕切本体１を備え、この仕切本体１を複数連設して構成している。仕切本体１は、樹脂製の一方側部３と樹脂製の他方側部４との溶着により形成されるとともに、一方側部３は平面状に形成され、他方側部４は内部に密封室５を形成するように膨出形成されている。【選択図】  図１
2011001093.tif 000002
【特許請求の範囲】
【請求項１】
容器内に収容された食品を区分けする可撓性の扁平状のバランにおいて、
弾性変形するクッション部を有した仕切本体を備え、該仕切本体を複数連設して構成したことを特徴とするバラン。
【請求項２】
上記各仕切本体に、上記クッション部を複数形成したことを特徴とする請求項１記載のバラン。
【請求項３】
上記仕切本体のクッション部の平面から見た専有面積Ｓａを、該仕切本体の平面から見た全体の面積Ｓの７０％以上にしたことを特徴とする請求項１または２記載のバラン。
【請求項４】
上記クッション部を中空状の気体の密封室で構成したことを特徴とする請求項３記載のバラン。
【請求項５】
上記仕切本体を、樹脂製の一方側部と樹脂製の他方側部との溶着により形成するとともに、上記一方側部を平面状に形成し、上記他方側部を内部に密封室を形成するように膨出させたことを特徴とする請求項４記載のバラン。
【請求項６】
上記クッション部をスポンジで構成したことを特徴とする請求項３記載のバラン。
【請求項７】
上記仕切本体を、樹脂製の平面状の一方側部と、該一方側部に付設され上記クッション部を構成するスポンジを有した他方側部とを備えて構成したことを特徴とする請求項６記載のバラン。
【請求項８】
上記仕切本体の一方側部及び他方側部の少なくともいずれか一方の表面に小突起を行列状に多数形成したことを特徴とする請求項３乃至７何れかに記載のバラン。
【請求項９】
上記仕切本体の一方側部及び他方側部の少なくともいずれか一方の表面に不織布を付設したことを特徴とする請求項３乃至８何れかに記載のバラン。
【請求項１０】
隣接する仕切本体間の連設部に該隣接する仕切本体同士を互いに分離可能にするミシン目を形成したことを特徴とする請求項３乃至９何れかに記載のバラン。
【発明の詳細な説明】
【技術分野】
【０００１】
本発明は、例えば、寿司の折り箱や弁当箱等の容器内に収容された食品を区分けする可撓性の扁平状のバランに関する。
【背景技術】
【０００２】
従来から、この種のバラン（仕切り）として、例えば、長方形の樹脂フィルムの一辺に鋸刃状の凹凸を形成して、葉蘭等の葉の切断片状様に形成したシート状のものが普及している（例えば、実用新案登録第３０５０７１１号公報、実開平５−７０３２７号公報等参照）。
また、樹脂フィルムやアルミニウム箔の表面に絵や模様を印刷した仕切本体をミシン目を介して複数連設し、適宜の長さに切断して用いるシート状のものも知られている（例えば、実開昭６２−１５９４３７号公報等参照）。
【先行技術文献】
【特許文献】
【０００３】
【特許文献１】実用新案登録第３０５０７１１号公報
【特許文献２】実開平５−７０３２７号公報
【特許文献３】実開昭６２−１５９４３７号公報
【発明の概要】
【発明が解決しようとする課題】
【０００４】
しかしながら、上記従来のバランにおいては、例えば、これを容器としての弁当箱に用いた場合、食品間に介装して区分けするが、薄いシート状に形成されているので、弁当の持ち運び中に振動により、食品が偏って変形してしまい、区画された食品の外観形状を損ねてしまうという問題があった。
特に、近年、家庭で、子供の弁当等においては、米飯の部分を、動物や人の顔等の形状に形作り、その外周にバランを付設して区分けした所謂「キャラ弁」といわれる弁当が流行しているが、従来の薄いシート状のバランではクッション性がないので、弁当の持ち運び中に振動により食品が動いて偏り、そのため、動物や人の顔等の形状が崩れてしまうという問題があった。
【０００５】
本発明は上記の問題点に鑑みて為されたもので、クッション性を付与して、容器の持ち運びの際の振動を吸収できるようにし、区分けした食品が偏って変形してしまう事態を防止して食品の外観形状が崩れないようにし、食品の保持性の向上を図ったバランを提供することを目的とする。
【課題を解決するための手段】
【０００６】
このような目的を達成するための本発明のバランは、容器内に収容された食品を区分けする可撓性の扁平状のバランにおいて、弾性変形するクッション部を有した仕切本体を備え、該仕切本体を複数連設して構成している。
この構成のバランを、例えば、容器としての弁当箱に用いる場合には、適宜の長さのものを用い、食品間に介装して区分けする。また、弁当箱の壁部に沿わせて用いることもできる。この場合、仕切本体は複数連設され、可撓性なので、仕切本体自身や連設部で折れ曲がることから、自由な形状にすることができる。
これにより、弁当の持ち運び中に振動により、食品が動こうとしても、仕切本体にはクッション部が備えられているので、クッション性がよく、そのため、震動が吸収されて、食品の動きが抑止され、食品が偏ってしまう事態が防止される。その結果、区分けした食品の外観形状が崩れないようになり、食品の保持性の向上が図られる。
【０００７】
そして、必要に応じ、上記各仕切本体に、上記クッション部を複数形成した構成としている。クッション部の大きさを小さくできるので、折り曲げ性が良くなるとともに、仕切本体の面に直交する方向の膨出を抑えることができ、厚さを適正に保持することができ、取り扱いを容易にすることができる。
【０００８】
また、必要に応じ、上記クッション部の平面から見た専有面積Ｓａを、該仕切本体の平面から見た全体の面積Ｓの７０％以上にした構成にしている。望ましくは、８０％以上、より望ましくは、９０％以上である。
これにより、食品が当たるクッション部の面積を大きく確保できるので、クッション性を向上させることができる。
【０００９】
更に、必要に応じ、上記クッション部を中空状の気体の密封室で構成している。密封室には例えば気体としての空気が密封される。
この場合、上記仕切本体を、樹脂製の一方側部と樹脂製の他方側部との溶着により形成するとともに、上記一方側部を平面状に形成し、上記他方側部を内部に密封室を形成するように膨出させたことが有効である。
一方側部が平面状なので嵩張ることがなく、例えば、この一方側部を米飯に沿わせると密着性がよくなり、形状を確実に保持することができる。また、この一方側部を容器の側壁に沿わせて付設すると、密着性を向上させることができる。
また、使用後は、樹脂製なので、洗浄して再利用することができる。
【００１０】
そしてまた、必要に応じ、上記クッション部をスポンジで構成している。
この場合、上記仕切本体を、樹脂製の平面状の一方側部と、該一方側部に付設され上記クッション部を構成するスポンジを有した他方側部とを備えて構成したことが有効である。一方側部が平面状なので嵩張ることがなく、例えば、この一方側部を米飯に沿わせると密着性がよくなり、形状を確実に保持することができる。また、この一方側部を容器の側壁に沿わせて付設すると、密着性を向上させることができる。
【００１１】
また、必要に応じ、上記仕切本体の一方側部及び他方側部の少なくともいずれか一方の表面に小突起を行列状に多数形成した構成としている。これにより、一方側部及び他方側部の少なくともいずれか一方の表面が凹凸のエンボス加工面になるので、食品との接触面積を小さくすることができ、そのため、米飯等の粘着性のある食品が仕切本体から剥離し易くなり、食品を食べる時に取り出し易くなり、あるいは、バランの洗浄がやり易くなる等取り扱いが容易になる。
また、必要に応じ、上記仕切本体の一方側部及び他方側部の少なくともいずれか一方の表面に不織布を付設した構成としている。食品の水分や油分など不要な成分を吸収することができる。
【００１２】
また、必要に応じ、隣接する仕切本体間の連設部に該隣接する仕切本体同士を互いに分離可能にするミシン目を形成した構成としている。これにより、例えば、本発明のバランを、巻き取ってロール状にして流通させ、その使用時に、繰り出して所要長さのところで切断して用いることができるが、その切断の際に、ミシン目から分離できるので、切断が容易に行われる。
【発明の効果】
【００１３】
本発明のバランによれば、例えば、容器の持ち運び中に振動により、食品が動こうとしても、仕切本体には弾性変形するクッション部が備えられているので、クッション性がよく、そのため、震動が吸収されて、食品の動きが抑止され、食品が偏ってしまう事態が防止される。その結果、区分けした食品の外観形状が崩れないようになり、食品の保持性を向上させることができる。
【図面の簡単な説明】
【００１４】
【図１】本発明の実施の形態に係るバランを示す図であり、（ａ）は斜視図、（ｂ）は一方側部から見た平面図、（ｃ）は横断面図である。
【図２】本発明の実施の形態に係るバランの使用状態を示す図である。
【図３】本発明の別の実施の形態に係るバランを示す断面図である。
【図４】本発明の他の実施の形態に係るバランを示す斜視図である。
【図５】本発明のまた別の実施の形態に係るバランを示す斜視図である。
【図６】本発明の更にまた別の実施の形態に係るバランを示す図である。
【発明を実施するための形態】
【００１５】
以下、添付図面に基づいて、本発明の実施の形態に係るバランについて詳細に説明する。
図１及び図２には、本発明の実施の形態に係るバランＢを示している。このバランＢは、寿司の折り箱や弁当箱等の容器Ｋ内に収容された食品Ｆを区分けするもので、可撓性樹脂製で扁平状に形成されている。
【００１６】
詳しくは、本発明の実施の形態に係るバランＢは、弾性変形するクッション部２を備えた仕切本体１を備え、この仕切本体１を一方向（左右方向）に複数連設して構成されている。仕切本体１は、矩形状に形成され、その中央に矩形状のクッション部２が１つ設けられている。クッション部２は中空状の気体（実施の形態では空気）の密封室５で構成されている。また、仕切本体１は、樹脂製の一方側部３と樹脂製の他方側部４との溶着により形成されており、一方側部３は平面状に形成され、他方側部４は、一方側部３に対して膨出し内部に密封室５を形成するように膨出形成されている。クッション部２の空気圧は、一方側部３が平面を保持しうるように適宜に設定されている。
【００１７】
また、図１（ｂ）に示すように、仕切本体１のクッション部２の平面から見た専有面積Ｓａは、仕切本体１の平面から見た全体の面積Ｓの７０％以上、望ましくは、８０％以上、より望ましくは、９０％以上に設定される。
更に、図１（ｂ）に示すように、仕切本体１の一方側部３の表面には、小突起６が行列状に多数形成されている。小突起６は、例えば、直径が０．２ｍｍ〜２ｍｍの半球状に形成されている。尚、小突起６を、他方側部４に設け、あるいは、一方側部３と他方側部４との両方に設けても良い。
【００１８】
更にまた、隣接する仕切本体１間の連設部には、この隣接する仕切本体１同士を互いに分離可能にするミシン目７が形成されている。
また、仕切本体１やクッション部２の大きさは適宜に定められ、例えば、大きさの異なるものが数種類作成される。
【００１９】
尚、図示しないが、仕切本体１の表面に、絵や模様等の表示物が印刷されている。表示物は、自由にデザインされる。また、後述するデコレーションのための樹脂製の凸部１０（図６）を複数形成して良い。
尚また、本実施の形態に係るバランＢは、仕切本体１を連設した帯状のものをロール状に巻回した状態で流通し、このロール状のものを巻き戻して所要の長さに切断して用いられる。
【００２０】
従って、本発明の実施の形態に係るバランＢを使用するときは、以下のようになる。図２に示すように、例えば、容器Ｋとしての弁当箱に用いた場合であって、米飯の部分Ｆａを、動物や人の顔等の形状に形作った所謂「キャラ弁」といわれる弁当に用いた場合について説明する。
バランＢとしては、仕切本体１の大きいものと小さいものとの二種類用いる。バランＢは、ロール状に巻回した状態のものから巻き戻して、仕切る食品Ｆの形状や大きさに合わせて、適宜の長さに切断して用いる。この切断の際には、手でミシン目７から切断して分離できるので、切断が容易に行われる。
【００２１】
実施の形態においては、先ず、大きいタイプのバランＢを容器Ｋの側壁の全周に沿わせて付設している。この場合、一方側部３を容器Ｋの側壁に沿わせて付設すると、一方側部３が平面状なので嵩張ることがなく、密着性を向上させることができる。また、この場合、仕切本体１は複数連設され、可撓性なので、仕切本体１自身や連設部で折れ曲がることから、自由な形状にすることができる。
【００２２】
次に、動物や人の顔等の形状（図ではライオンの子供）に形作った米飯の部分Ｆａを例えば容器Ｋの中央に位置させ、小さいタイプのバランＢをこの米飯の部分Ｆａの外周に沿わせて付設している。この場合も、一方側部３を米飯の部分Ｆａに沿わせると密着性を向上させることができ、形状保持に寄与できる。尚、米飯の部分Ｆａには、適宜の食材により、目，耳や鼻などが描かれる。また、この場合も、仕切本体１は複数連設され、可撓性なので、仕切本体１自身や連設部で折れ曲がることから、自由な形状にすることができ、追従性が向上させられる。
【００２３】
次にまた、小さいタイプのバランＢを用い、容器Ｋの側壁に沿ったバランＢと米飯の部分Ｆａに沿ったバランＢとの間に架設して、種々のおかずＦｂ，Ｆｃ，Ｆｄ，Ｆｅ，Ｆｆ・・・を仕切って配置している。容器Ｋに詰める食品Ｆは、できるだけ、バランＢに接触して押えられるように詰めるとよい。
【００２４】
この状態で、この弁当箱からなる容器Ｋを、持ち運びすると、振動により、食品Ｆが動こうとするが、仕切本体１にはクッション部２として中空状の気体の密封室５が備えられているので、クッション性がよく、そのため、震動が吸収されて、食品Ｆの動きが抑止され、食品Ｆが偏ってしまう事態が防止される。その結果、区分けした食品Ｆの外観形状が崩れないようになり、食品Ｆの保持性の向上が図られる。この場合、仕切本体１のクッション部２の平面から見た専有面積Ｓａを、仕切本体１の平面から見た全体の面積Ｓの７０％以上にしているので、食品Ｆが当たるクッション部２の面積を大きく確保でき、そのため、クッション性が向上させられる。
【００２５】
そして、食品Ｆを食するときは、区分けした食品Ｆの外観形状の崩れが抑制されているので、外観品質が良く、視覚による不快感をなくすることができる。また、仕切本体１の一方側部３の表面に小突起６が多数形成されていることから、仕切本体１の一方側部３の表面が凹凸状のエンボス加工面になっており、食品Ｆとの接触面積を小さくすることができるので、米飯等の粘着性のある食品Ｆが仕切本体１から剥離し易くなり、食品Ｆを食べる時に取り出し易くなる。
【００２６】
そしてまた、弁当箱からなる容器Ｋの使用後は、容器Ｋを洗浄するが、この場合、バランＢを取出して、このバランＢも洗浄すれば、再利用することができる。この洗浄の際には、仕切本体１の一方側部３の表面が凹凸状のエンボス加工面になって、米飯等の粘着性のある食品Ｆの付着が少ないことから、洗浄がやり易くなる。
【００２７】
図３には、本発明の別の実施の形態に係るバランＢを示している。このバランＢは、上記と略同様の形状に形成され、クッション部２がスポンジ８で構成されている。詳しくは、仕切本体１は、樹脂製の平面状の一方側部３と、一方側部３に例えば接着剤を介して付設されクッション部２を構成するスポンジ８を有した他方側部４とを備えて構成されている。また、仕切本体１の一方側部３の表面には、上記と同様の小突起（図１（ｂ）参照）が行列状に多数形成されている。更に、仕切本体１の他方側部４の表面には、不織布９が例えば接着剤を介して付設されている。更にまた、隣接する仕切本体１間の連設部には、この隣接する仕切本体１同士を互いに分離可能にするミシン目７が形成されている。
従って、この別の実施の形態に係るバランＢによれば、不織布９及びスポンジ８により食品の水分や油分など不要な成分を吸収することができる。他の作用，効果は上記と同様である。
【００２８】
図４には、本発明の他の実施の形態に係るバランＢを示している。このバランＢは、各仕切本体１に、クッション部２としての中空状の密封室５を複数形成した構成としている。具体的には、矩形細長状のクッション部２を長手方向に列設してある。クッション部２の大きさを小さくできるので、折り曲げ性が良くなるとともに、仕切本体１の面に直交する方向に、膨らんで膨出しにくくでき、厚さを適正に保持することができ、取り扱いを容易にすることができる。他の作用，効果は上記と同様である。
尚、図４に示すタイプのバランＢにおいて、クッション部２をスポンジ８で構成しても良い。
【００２９】
図５には、本発明のまた別の実施の形態に係るバランＢを示している。このバランＢは、各仕切本体１に、クッション部２としての中空状の密封室５を複数形成した構成としている。具体的には、略半球状のクッション部２を行列状に複数設けている。クッション部２の大きさを小さくできるので、折り曲げ性が良くなるとともに、仕切本体１の面に直交する方向に、膨らんで膨出しにくくでき、厚さを適正に保持することができ、取り扱いを容易にすることができる。他の作用，効果は上記と同様である。
尚、図５に示すタイプのバランＢにおいて、クッション部２をスポンジ８で構成しても良い。
【００３０】
図６には、本発明の更にまた別の実施の形態に係るバランＢを示している。このバランＢは、図１に示すバランＢと同様に、クッション部２としての中空状の密封室５を備え、そのクッション部２をハート型に形成している。また、他方側部４の表面に、デコレーションのための樹脂製の凸部１０を複数形成している。凸部１０は、他方側部４に一体形成され、あるいは、後から例えば接着剤を介して付設される。また、凸部１０の形状や色は種々にデザインされて良い。
【００３１】
尚、上記クッション部２としての中空状の密封室５を備えたものにおいて、密封室５内の気体（空気）に変えて、スポンジ８を封入するようにしても良い。また、上記実施の形態においては、一方側部３を平面状に形成したが、必ずしもこれに限定されるものではなく、一方側部３も膨出形成して、クッション部２を構成するようにしても良く、適宜変更して差支えない。更に、上記実施の形態において、不織布９は、スポンジ８を覆うように設けたものを示したが、必ずしもこれに限定されるものではなく、クッション部２としての中空状の密封室５を備えたものに設けても良く、適宜変更して差支えない。また、不織布９を、仕切本体１の一方側部３及び他方側部４のいずれか一方のみならず、両方に設けても良い。
【００３２】
尚また、上記実施の形態において、クッション部２の形状を、矩形状，略半球状あるいはハート型状のものを示したが、必ずしもこれに限定されるものではなく、どのような形状や大きさでもよく、適宜変更して良いことはもちろんである。また、表面のデザインも適宜変更して差支えない。
【符号の説明】
【００３３】
Ｂ  バラン
Ｋ  容器（弁当箱）
Ｆ  食品
Ｆａ  米飯の部分
Ｆｂ，Ｆｃ，Ｆｄ，Ｆｅ，Ｆｆ  おかず
１  仕切本体
２  クッション部
３  一方側部
４  他方側部
５  密封室
Ｓ  仕切本体１の平面から見た全体の面積
Ｓａ  仕切本体１のクッション部２の平面から見た専有面積
６  小突起
７  ミシン目
８  スポンジ
９  不織布
１０  凸部
【図１】
2011001093.tif 000003
【図２】
2011001093.tif 000004
【図３】
2011001093.tif 000005
【図４】
2011001093.tif 000006
【図５】
2011001093.tif 000007
【図６】
2011001093.tif 000008